(57)【要約】【課題】従来の消臭材に比し性能の優れた消臭材を提供する。【解決手段】茶混抄紙に４−ヒドロキシ−６−メチル−３−（４−メチルペンタノイル）−２−ピロンを保持させてなる消臭材。【選択図】　　なし【特許請求の範囲】
【請求項１】
茶混抄紙に４−ヒドロキシ−６−メチル−３−（４−メチルペンタノイル）−２−ピロンを保持させてなる消臭材。
【請求項２】
４−ヒドロキシ−６−メチル−３−（４−メチルペンタノイル）−２−ピロンの保持量が消臭材１ｍ２あたり０．１〜１０ｇである請求項１に記載の消臭材。
【発明の詳細な説明】
【０００１】
【発明の属する技術分野】
本発明は、消臭材に関するものである。
【０００２】
【従来の技術および発明が解決しようとする課題】
従来、茶の葉または茶の葉処理物をパルプに混合して抄紙することにより得られる、いわゆる茶混抄紙が、アンモニア、アミン類等に由来する悪臭の消臭材として有用であることが知られている（特開平９−１２２２１６号公報）。
【０００３】
しかしながらこの消臭材の効果は十分でなく、より性能の優れる消臭材の開発が望まれていた。
【０００４】
本発明の課題は、より消臭性能に優れた消臭材を提供することにある。
【０００５】
【課題を解決するための手段】
かかる状況下、本発明者は消臭材について検討した結果、茶混抄紙に天然成分である４−ヒドロキシ−６−メチル−３−（４−メチルペンタノイル）−２−ピロンを保持させた消臭材が、従来の茶混抄紙に比し消臭機能においてきわめて優れたものとなり得ることを見出し、本発明を完成した。
【０００６】
すなわち本発明は、茶混抄紙に４−ヒドロキシ−６−メチル−３−（４−メチルペンタノイル）−２−ピロンを保持させてなる消臭材（以下、本消臭材と記す。）に関するものである。
【０００７】
【発明の実施の形態】
本消臭材は式
2004033460.tif 000002
で示される４−ヒドロキシ−６−メチル−３−（４−メチルペンタノイル）−２−ピロン（以下、本化合物と記す。）が茶混抄紙に保持されたものであり、本化合物は、例えば特開２００２−１２５０６号公報に記載の方法により製造することができる。
【０００８】
本消臭材において使用される茶混抄紙は、茶の葉または茶の葉処理物を粉砕し、該粉砕物をパルプに混合し、抄紙することにより得られる紙であり、例えば特開平９−１２２２１６号公報に記載の方法に準じて製造することができる。茶の葉処理物としては、例えば特開平９−１２２２１６号公報に記載の、緑茶製造における茶の葉の揉み工程において副生する皮状成分を挙げることができる。茶の葉または茶の葉処理物の粉砕物の混合量はパルプ（乾燥重量）に対し、通常５〜５０重量％である。
【０００９】
また、茶混抄紙には、硬度保持の目的で、キトサンを含有させることが好ましく、キトサンを茶混抄紙に含有させる方法としては、茶の葉または茶の葉処理物の粉砕物をパルプと混合する際に、例えばキトサン含有５％酢酸水溶液（キトサン含有率１％）を混合して抄紙する方法を挙げることができる。キトサンを混合する場合の量は、パルプ（乾燥重量）に対しキトサン換算量で、通常０．１〜１０重量％である。
【００１０】
またパルプとしては、木材パルプ、竹パルプ、エスパルトパルプ、パガスパルプ、ポロパルプ、リンターパルプ等いずれも使用することができるが、工業的な入手性等の理由から通常は木材パルプが使用される。木材パルプとしては、針葉樹パルプ、広葉樹パルプのいずれも使用することができ、その混合物を使用することもできる。
【００１１】
また、茶混抄紙は市販されており、かかる市販品を使用することもできる。市販の茶混抄紙としては、例えば商品名「香り緑茶の一筆箋」（エコライフラボ株式会社製）を挙げることができる。
【００１２】
また、本消臭材は通常シート状であり、使用される茶混抄紙も、通常シート状である。茶混抄紙の目付けとしては、３０〜３００ｇ／ｍ２のものが好ましく、５０〜１５０ｇ／ｍ２のものがさらに好ましい。
【００１３】
本消臭材の厚さは、通常、使用する茶混抄紙の厚さと同じであり、通常は０．１〜１ｍｍ程度であり、使用場面に応じて適当な形状、面積のものが用いられる。
【００１４】
本消臭材には通常、本化合物が本消臭材１ｍ２あたり０．１〜１０ｇ程度、望ましくは０．３〜５ｇ程度保持される。
【００１５】
本消臭材は、茶混抄紙製造時に、例えば前記茶の葉粉砕物若しくは茶の葉処理物の粉砕物、必要によりキトサン溶液と、本化合物を一緒にパルプに混合して、さらに抄紙することにより製造することもできるし、適当な液体担体、必要によりさらに乳化剤、分散剤等を用いて希釈した本化合物の希釈液を、茶混抄紙に含浸、塗布し、必要により乾燥して本化合物を保持させて製造することもできる。
【００１６】
茶混抄紙に本化合物の希釈液を含浸、塗布する場合に用いられる液体担体としてはアルコール類（メタノール、エタノール、イソプロピルアルコール等）、ケトン類（アセトン、メチルエチルケトン等）、エステル類（酢酸エチル、酢酸ブチル）、芳香族炭化水素類（トルエン、キシレン等）、脂肪族炭化水素類（ヘキサン、シクロヘキサン等）、二トリル類（アセト二トリル等）、酸アミド類（Ｎ、Ｎ−ジメチルホルムアミド等）、ハロゲン化炭化水素類（塩化メチレン、クロロフォルム等）が挙げられる。
【００１７】
本消臭材に本化合物以外に適当な殺虫剤、抗菌剤、植物精油や合成香料などの香料等を含有させて複合機能を持たせたり、本消臭材の品質保持のために酸化防止剤を含有させてもよい。また、酸化チタン等の光触媒、活性炭、シリカゲル、活性アルミナ、ゼオライト等の他の脱臭剤を含有させて消臭範囲を広げ、効果を高めることもできる。
【００１８】
かかる殺虫剤としてはカ−バメ−ト系殺虫剤、アレスリン、テトラメスリン、プラレトリン、フェノトリン、レスメトリン、シフェノトリン、ペルメトリンシペルメトリン、デルタメトリン、シフルトリン、フラメトリン、イミプロトリン、トランスフルスリン、エンペントリン、エトフェンプロックス、エスフェンバレレート、フェンプロパスリン、シラフルオフェン等のピレスロイド殺虫剤、メトキサジアゾン、ピリプロキシフェン、アミドフルメット等の殺虫、殺ダニ剤ならびに、カランー３，４−ジオール、ジエチルトルアミド、ｐ−メンタンー３，８−ジオール、ジーｎ―プロピルイソシンコメロネート等の害虫忌避剤が挙げられる。
【００１９】
抗菌剤としては、２−ブロモ−２−ニトロプロパンジオール、３−ヨード−２−プロピニルカーバメートのようなカーバメート系化合物、２―（４−チアゾリル）−ベンツイミダゾール、２−（メトキシカルボニルアミノ）−ベンツイミダゾール等のベンツイミダゾール系化合物、２−（チオシアノメチルチオ）ベンゾチアゾ−ル等のベンツチアゾ−ル系化合物、２，４，５，６−テトラクロロイソフタロニトリル等のフタロニトリル系化合物、５−クロロ−２−メチルー４−イソチアゾリン−３−オンや２−メチルー４−イソチアゾリン−３−オン等のイソチアゾリン系化合物；Ｎ−（２−クロロフェニル）マレイミド等のマレイミド系化合物、３−メチルー４−イソプロピルフェノール、３、５―ジクロロ−４−メチルフェノールのようなフェノール等が挙げられる。
【００２０】
植物精油や合成香料としては、ペパーミント油、ハッカ油、ヒノキ油、ヒバ油、パイン油、ラベンダー油、ユーカリ油、シトロネラ油、ライム油、ヒバ油、タイム油、ヒソップ油、ローズマリー油、ティーツリー油、ローズ油、イランイラン油、クローブ油、ベイ油、ゼラニウム油、セージ油等の芳香を有する植物精油；サリチル酸メチル、イオノン、フェノキシエタノール、リナロール、ジヒドロリナロール、シネオール、シトロネオール、オイゲノール、メントール、メントン等の合成香料が挙げられ、酸化防止剤としてはα、β、γ―カロチン、リコピン、クリプトキサンチン等のカロチノイド、α、β、γ、δ―トコフェロール等のビタミンＥ類、γ―オリザノ−ル、ジブチルヒドロキシアニソール（ＢＨＡ）、ジブチルヒドロキシトルエン（ＢＨＴ）を挙げることができる。
【００２１】
本消臭材は、アンモニア、トリメチルアミン等のアミン類、メチルメルカプタン、ホルムアルデヒド等に由来の悪臭、特にアンモニア、トリメチルアミン等のアミン類に由来の悪臭の除去に有効である。例えば、任意の寸法に裁断して臭気の発生するトイレの床や、犬、猫、鳥等のペット飼育小屋や籠の床に敷いたり、犬のトイレ用シーツ、猫のトイレ用トレイの下に敷いたり、かかる場所の壁に貼って消臭用途に使用することができる。また、本消臭材を任意の寸法に裁断して、臭気が発生しやすい場所、例えば畳、絨毯、敷物の下や押し入れや食品庫、食器戸棚等の引き出しに敷いたり、畳表の裏に装入することにより用いることもできる。
【００２２】
また、本消臭材は消臭のみならず害虫やダニ等の有害節足動物を防除する効果も有する。
【００２３】
【実施例】
次に実施例を挙げて本発明をより詳細に説明するが、本発明は以下の例のみに限定されるものではない。
製造例１
本化合物１．０ｇをエタノール２０ｇに溶かし、スプレー瓶に入れ、これを４０ｃｍｘ５０ｃｍの茶混抄紙（エコライフラボ社製：目付量７５ｇ／ｍ２）に均一に吹き付けて５０℃で乾燥することにより、本消臭材１を得た。
【００２４】
参考試験例
目付け量７５ｇ／ｍ２の茶混抄紙（エコライフラボ社製）を直径７ｃｍの円形に切り、これに０．１％アンモニア水０．５ｍｌを垂らして、３０分間乾燥させてから直径２０ｃｍのデシケーター（容量約３Ｌ）に入れ、１０分間密閉してからデシケーター内部のアンモニア濃度をガステック社検知管（Ｎｏ．１８０Ｌ）で測ると４ｐｐｍであった。
同様に、直径７ｃｍの円形濾紙に０．１％アンモニア水０．５ｍｌを垂らして、３０分間乾燥させるから直径２０ｃｍのデシケーター（容量約３Ｌ）に入れ、１０分間密閉してからデシケーター内部のアンモニア濃度をガステック社検知管（Ｎｏ．１８０Ｌ）で測ると１０ｐｐｍであった。
【００２５】
試験例１
製造例１で得た本消臭材１を直径７ｃｍの円形に切り、０．１％アンモニア水０．５ｍｌを垂らして、３０分間乾燥させてから直径２０ｃｍのデシケーター（容量約３Ｌ）に入れ、１０分間密閉してからデシケーター内部のアンモニア濃度をガステック社検知管（Ｎｏ．１８０Ｌ）で測ると０．２ｐｐｍであった。
【００２６】
参考試験例での本化合物を担持しない茶混抄紙では、検出されたアンモニアは４ｐｐｍであり、茶を含有しない通常の濾紙に本化合物を担持させた場合には検出されたアンモニアは１０ｐｐｍであることから、製造例１で得た本消臭材１には優れた消臭効果が認められた。
【００２７】
【発明の効果】
本発明によれば、従来の消臭材に比し、優れた消臭性能を有する消臭材を提供できる。